(57)【特許請求の範囲】
【請求項１】
無線通信のための方法であって、前記方法は下記を備える：
装置において、ユーザ端末のセットから１又は複数の空間フィードバック情報メッセージを受信すること、ここで、各空間フィードバック情報メッセージは、前記装置と、前記ユーザ端末のセットからの１つのユーザ端末との間のチャネルに関する情報を含み、前記１又は複数の空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信されたものであり、
前記空間フィードバック情報メッセージのうちの１又は複数に少なくとも部分的に基づいて、前記装置によってビーム方向を調節すること、
データ伝送のための前記ビーム方向についてのインジケーションを備える基準信号を送信すること；
ユーザ端末の前記セットに対して、前記ユーザ端末に関連付けられた１又は複数の通信リソースの品質についての、少なくとも１つのインジケーション・メッセージを送るよう求める要求を送信すること；
前記セットからの１又は複数のユーザ端末から、前記基準信号に少なくとも部分的に基づいて生成された前記インジケーション・メッセージの１又は複数を受信すること；および
前記受信されたインジケーション・メッセージに基づいて、前記ビーム方向を使用して、前記セットからのユーザ端末のうちの少なくとも１つに対するデータ伝送をスケジューリングすること。
【請求項２】
請求項１に記載の方法、ここにおいて、前記基準信号は更に、送信電力スペクトル密度レベルを示す。
【請求項３】
請求項１に記載の方法、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
【請求項４】
下記を更に備える、請求項１に記載の方法：
前記受信されたインジケーション・メッセージに基づいて、前記データ伝送のための変調符号化スキーム（ＭＣＳ）を選択すること；および
前記ＭＣＳおよび前記ビーム方向を使用して前記データを送信すること。
【請求項５】
無線通信のための装置であって、前記装置は下記を備える：
データ伝送のためのビーム方向についてのインジケーションを備える基準信号を送信するように構成された送信機、ここにおいて、
前記送信機は、ユーザ端末のセットに対して、前記ユーザ端末に関連付けられた１又は複数の通信リソースの品質についての、少なくとも１つのインジケーション・メッセージを送るよう求める要求を送信するように更に構成されている；
ユーザ端末のセットから１又は複数の空間フィードバック情報メッセージを受信するように構成された受信機、各空間フィードバック情報メッセージは、前記装置と前記ユーザ端末のうちの１つとの間のチャネルに関する情報を含み、前記１又は複数の空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信されたものであり、
前記受信機は、また、前記セットからの１又は複数のユーザ端末から、前記基準信号に少なくとも部分的に基づいて生成された前記インジケーション・メッセージのうちの１又は複数を受信するように構成されている；
前記空間フィードバック情報メッセージのうちの１又は複数に少なくとも部分的に基づいて前記ビーム方向を調節するように構成された第１の回路；および
前記受信されたインジケーション・メッセージに基づいて、前記ビーム方向を使用して、前記セットからのユーザ端末のうちの少なくとも１つに対するデータ伝送をスケジューリングするように構成されたスケジューラ。
【請求項６】
請求項５に記載の装置、ここにおいて、前記基準信号は更に、送信電力スペクトル密度レベルを示す。
【請求項７】
請求項５に記載の装置、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
【請求項８】
更に下記を備える、請求項５に記載の装置：
前記受信されたインジケーション・メッセージに基づいて、前記データ伝送のための変調符号化スキーム（ＭＣＳ）を選択するように構成された第２の回路、ここにおいて、
前記送信機は、前記ＭＣＳおよび前記ビーム方向を使用して前記データを送信するように更に構成されている。
【請求項９】
無線通信のための装置であって、前記装置は以下を備える：
ユーザ端末のセットから１又は複数の空間フィードバック情報メッセージを受信する手段、ここで、各空間フィードバック情報メッセージは、前記装置と、前記ユーザ端末のセットからの１つのユーザ端末との間のチャネルに関する情報を含み、前記１又は複数の空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信されたものであり；
前記空間フィードバック情報メッセージのうちの１又は複数に少なくとも部分的に基づいてビーム方向を調節する手段；
データ伝送のための前記ビーム方向についてのインジケーションを備える基準信号を送信する手段；
ユーザ端末の前記セットに対して、前記ユーザ端末に関連付けられた１又は複数の通信リソースの品質についての、少なくとも１つのインジケーション・メッセージを送るよう求める要求を送信する手段；
前記セットからの１又は複数のユーザ端末から、前記基準信号に少なくとも部分的に基づいて生成された前記インジケーション・メッセージの１又は複数を受信する手段；および
前記受信されたインジケーション・メッセージに基づいて、前記ビーム方向を使用して、前記セットからのユーザ端末のうちの少なくとも１つに対するデータ伝送をスケジューリングする手段。
【請求項１０】
下記を更に備える、請求項９に記載の装置：
前記受信されたインジケーション・メッセージに基づいて、前記データ伝送のための変調符号化スキーム（ＭＣＳ）を選択する手段；および
前記ＭＣＳおよび前記ビーム方向を使用して前記データを送信する手段。
【請求項１１】
命令セットを備える無線通信のためのコンピュータ・プログラムであって、前記命令セットは、装置の１又は複数のプロセッサによって実行可能であり、さらに、下記を備える：
ユーザ端末のセットから１又は複数の空間フィードバック情報メッセージを受信するための命令セット、ここで、各空間フィードバック情報メッセージは、前記装置と、前記ユーザ端末のセットからの１つのユーザ端末との間のチャネルに関する情報を含み、前記１又は複数の空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信されたものであり；
前記空間フィードバック情報メッセージのうちの１又は複数に少なくとも部分的に基づいてビーム方向を調節するための命令セット；
データ伝送のための前記ビーム方向についてのインジケーションを備える基準信号を送信するための命令セット；
ユーザ端末の前記セットに対して、前記ユーザ端末に関連付けられた１又は複数の通信リソースの品質についての、少なくとも１つのインジケーション・メッセージを送るよう求める要求を送信するための命令セット；
前記セットからの１又は複数のユーザ端末から、前記基準信号に少なくとも部分的に基づいて生成された前記インジケーション・メッセージの１又は複数を受信するための命令セット；および
前記受信されたインジケーション・メッセージに基づいて、前記ビーム方向を使用して、前記セットからのユーザ端末のうちの少なくとも１つに対するデータ伝送をスケジューリングするための命令セット。
【請求項１２】
更に下記を備える、請求項１１に記載のコンピュータ・プログラム：
前記受信されたインジケーション・メッセージに基づいて、前記データ伝送のための変調符号化スキーム（ＭＣＳ）を選択するための命令セット；および
前記ＭＣＳおよび前記ビーム方向を使用して前記データを送信するための命令セット。
【請求項１３】
無線通信のための装置であって、前記装置は下記を備える：
下記を実行するよう構成された少なくとも１つのプロセッサ、
ユーザ端末のセットから１又は複数の空間フィードバック情報メッセージを受信すること、ここで、各空間フィードバック情報メッセージは、前記装置と、前記ユーザ端末のセットからの１つのユーザ端末との間のチャネルに関する情報を含み、前記１又は複数の空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信されたものであり；
前記空間フィードバック情報メッセージのうちの１又は複数に少なくとも部分的に基づいてビーム方向を調節すること；
データ伝送のための前記ビーム方向についてのインジケーションを備える基準信号を送信すること、
ユーザ端末の前記セットに対して、前記ユーザ端末に関連付けられた１又は複数の通信リソースの品質についての、少なくとも１つのインジケーション・メッセージを送るよう求める要求を送信すること、
前記セットからの１又は複数のユーザ端末から、前記基準信号に少なくとも部分的に基づいて生成された前記インジケーション・メッセージの１又は複数を受信すること、さらに
前記受信されたインジケーション・メッセージに基づいて、前記ビーム方向を使用して、前記セットからのユーザ端末のうちの少なくとも１つに対するデータ伝送をスケジューリングすること；および
前記少なくとも１つのプロセッサに結合されたメモリ。
【請求項１４】
請求項１３に記載の装置、ここにおいて、前記プロセッサは下記を実行するよう更に構成されている：
前記受信されたインジケーション・メッセージに基づいて、前記データ伝送のための変調符号化スキーム（ＭＣＳ）を選択すること；および
前記ＭＣＳおよび前記ビーム方向を使用して前記データを送信すること。
【請求項１５】
無線通信のための方法であって、前記方法は下記を備える：
ユーザ端末からサービス提供中のセルに空間フィードバック情報メッセージを送信すること、ここで、前記空間フィードバック情報メッセージは、前記ユーザ端末と前記サービス提供中のセルとの間のチャネルに関する情報を含み、前記空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信され；
前記ユーザ端末において前記サービス提供中のセルから、データ伝送のために使用されるサービス提供中のセルの調節されたビーム方向についてのインジケーションを備える基準信号を受信すること、ここで、前記ビーム方向は、前記空間フィードバック情報メッセージに少なくとも部分的に基づいて調節され；
前記基準信号に示された、前記ユーザ端末によって観測されているチャネルの品質を測定すること；
前記サービス提供中のセルから、前記測定されたチャネル品質についてのインジケーションを送信するよう求める要求を受信すること；および
前記要求に応じて、前記サービス提供中のセルに前記インジケーションを送信すること。
【請求項１６】
請求項１５に記載の方法、ここにおいて、前記基準信号は更に、送信電力スペクトル密度レベルを示す。
【請求項１７】
請求項１５に記載の方法、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
【請求項１８】
更に下記を備える、請求項１５に記載の方法：
前記測定されたチャネル品質を、前記サービス提供中のセルに送信すること。
【請求項１９】
無線通信のための装置であって、前記装置は下記を備える：
サービス提供中のセルに空間フィードバック情報メッセージを送信するように構成された送信機、ここで、前記空間フィードバック情報メッセージは、前記装置と前記サービス提供中のセルとの間のチャネルに関する情報を含み、前記空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信され；
前記サービス提供中のセルから、データ伝送のために使用されるサービス提供中のセルの調節されたビーム方向についてのインジケーションを備える基準信号を受信するように構成された受信機、ここで、前記ビーム方向は、前記空間フィードバック情報メッセージに少なくとも部分的に基づいて調節され；
前記基準信号に示された、前記装置によって観測されているチャネルの品質を測定するように構成された回路、ここにおいて、
前記受信機は更に、前記サービス提供中のセルから、前記測定されたチャネル品質についてのインジケーションを送信するよう求める要求を受信するように構成されている；
前記送信機は、また、前記要求に応じて、前記サービス提供中のセルに前記インジケーションを送信するように構成されている。
【請求項２０】
請求項１９に記載の装置、ここにおいて、前記基準信号は更に、送信電力スペクトル密度レベルを示す。
【請求項２１】
請求項１９に記載の装置、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
【請求項２２】
請求項１９に記載の装置、ここにおいて、
前記送信機は更に、前記測定されたチャネル品質を、前記サービス提供中のセルに送信するように構成されている。
【請求項２３】
無線通信のための装置であって、前記装置は下記を備える：
サービス提供中のセルに空間フィードバック情報メッセージを送信する手段、ここで、前記空間フィードバック情報メッセージは、前記装置と前記サービス提供中のセルとの間のチャネルに関する情報を含み、前記空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信され；
前記サービス提供中のセルから、データ伝送のために使用されるサービス提供中のセルの調節されたビーム方向についてのインジケーションを備える基準信号を受信する手段、ここで、前記ビーム方向は、前記空間フィードバック情報メッセージに少なくとも部分的に基づいて調節され；
前記基準信号に示されたチャネル品質を測定する手段、なお、前記チャネルは、前記装置によって観測されている；
前記サービス提供中のセルから、前記測定されたチャネル品質についてのインジケーションを送信するよう求める要求を受信する手段；および
前記要求に応じて、前記サービス提供中のセルに前記インジケーションを送信する手段。
【請求項２４】
更に下記を備える、請求項２３に記載の装置：
前記測定されたチャネル品質を、前記サービス提供中のセルに送信する手段。
【請求項２５】
命令セットを備える無線通信のためのコンピュータ・プログラムであって、前記命令セットは、１又は複数のプロセッサによって実行可能であり、さらに、下記を備える：
ユーザ端末からサービス提供中のセルに空間フィードバック情報メッセージを送信するための命令、ここで、前記空間フィードバック情報メッセージは、前記ユーザ端末と前記サービス提供中のセルとの間のチャネルに関する情報を含み、前記空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信され；
前記ユーザ端末において前記サービス提供中のセルから、データ伝送のために使用されるサービス提供中のセルの調節されたビーム方向についてのインジケーションを備える基準信号を受信するための命令セット、ここで、前記ビーム方向は、前記空間フィードバック情報メッセージに少なくとも部分的に基づいて調節され；
前記基準信号に示されたチャネル品質を測定するための命令セット、なお、前記チャネルは前記ユーザ端末によって観測されている；
前記サービス提供中のセルから、前記測定されたチャネル品質についてのインジケーションを送信するよう求める要求を受信するための命令セット；および
前記要求に応じて、前記サービス提供中のセルに前記インジケーションを送信するための命令セット。
【請求項２６】
請求項２５に記載のコンピュータ・プログラム、ここにおいて、前記命令セットは更に下記を備える：
前記測定されたチャネル品質を、前記サービス提供中のセルに送信するための命令セット。
【請求項２７】
無線通信のための装置であって、前記装置は下記を備える：
下記を実行するよう構成された少なくとも１つのプロセッサ、
サービス提供中のセルに空間フィードバック情報メッセージを送信すること、ここで、前記空間フィードバック情報メッセージは、前記装置と前記サービス提供中のセルとの間のチャネルに関する情報を含み、前記空間フィードバック情報メッセージは、空間フィードバック情報を届けるようにとの要求（ＳＦＩ−ＲＥＱ）に応答して、前記ＳＦＩ−ＲＥＱにおいて示されたすべてのセルに対して送信され；
前記サービス提供中のセルから、データ伝送のために使用されるサービス提供中のセルの調節されたビーム方向についてのインジケーションを備える基準信号を受信すること、ここで、前記ビーム方向は、前記空間フィードバック情報メッセージに少なくとも部分的に基づいて調節され、
前記基準信号に示された、前記装置によって観測されているチャネルの品質を測定すること、
前記サービス提供中のセルから、前記測定されたチャネル品質についてのインジケーションを送信するよう求める要求を受信すること、さらに
前記要求に応じて、前記サービス提供中のセルに前記インジケーションを送信すること；および
前記少なくとも１つのプロセッサに結合されたメモリ。
【請求項２８】
請求項２７に記載の装置、ここにおいて、前記プロセッサは更に、前記測定されたチャネル品質を、前記サービス提供中のセルに送信するように構成されている。
【発明の詳細な説明】
【技術分野】
【０００１】
本開示の特定の態様は一般に無線通信に関し、特に、協働的（cooperative）ビームフォーミングのためのスケジューリング方法に関する。本願は、２００９年２月２日に提出された仮出願６１／１４９２８４号および、２００９年２月３日に提出された仮出願６１／１４９４３４号に対する利益を権利主張する。上記出願は、譲受人に譲渡され、参照によって本明細書に明確に組み込まれる。
【背景技術】
【０００２】
協調（coordinated）マルチ・ポイント（ＣｏＭＰ）は、ロング・ターム・エボリューション・アドバンスト（ＬＴＥ−Ａ）規格によって説明される、高いスペクトル効率要件の成功への鍵と見なされている。複数のセルにわたる下りリンクの協働的な伝送と、異機種環境展開におけるリソースの分割と、統一された様式でのユーザ機器（ＵＥ）アソシエーションとに対処するために、一般的なユーティリティ・ベースのフレームワークが、ＬＴＥ−Ａ規格において提案されてきた。この提案されたフレームワークには、２つの重要な要素がある。それは、複数の協働的なセルに跨るスケジューリング決定のリアル・タイムな調整（coordination）および予測（projected）の有益性の概念である。
【０００３】
予測の有益性の概念は、スペクトル効率と、バックホール容量およびレイテンシと、チャネル状態情報の精度と、サービス品質（ＱｏＳ）／公平性（fairness）の観点からのＵＥスケジューリング優先度と、ＵＥおよびネットワークの性能とから成る。バックホールによるセル間での情報交換に基づく予測の有益性の計算では、スケジューリングおよび伝送の決定の正確な調整を常にもたらすことはできない。これは特に、一般的なインターネット・プロトコル（ＩＰ）バックホールを用いた無線ワイド・エリア・ネットワーク（ＷＷＡＮ）展開および／あるいは標準的なコンシューマー・バックホールを用いた家庭用ｅノードＢ（ＨｅＮＢ）展開に適用する。このようなシナリオにおいては、効率的なリアル・タイムのスケジューリング調整を達成するために、無線でのシグナリングが必要となる。
【発明の概要】
【０００４】
本開示の特定の態様が、無線通信のための方法を提供する。この方法は一般に、データ伝送のためのビーム方向についてのインジケーションを備える基準信号を送信することと、ユーザ端末のセットに対して、ユーザ端末に関連付けられた１又は複数の通信リソースの品質についての、少なくとも１つのインジケーション・メッセージを送ることを求める要求を送信することと、セットからの１又は複数のユーザ端末から、少なくとも部分的に基準信号に基づいて生成された１又は複数のインジケーション・メッセージを受信することと、受信されたインジケーション・メッセージに基づいて、セットからの１又は複数のユーザ端末のうちの少なくとも１つに対して、ビーム方向を使用して送信されるデータの伝送をスケジューリングすることとを含む。
【０００５】
特定の態様は、無線通信のための装置を提供する。この装置は一般に、データ伝送のためのビーム方向についてのインジケーションを備える基準信号を送信するように構成された送信機を含み、この送信機は、ユーザ端末のセットに対して、ユーザ端末に関連付けられた１又は複数の通信リソースの品質についての、少なくとも１つのインジケーション・メッセージを送ることを求める要求を送信するように更に構成されている。この装置は更に、セットからの１又は複数のユーザ端末から、少なくとも部分的に基準信号に基づいて生成された１又は複数のインジケーション・メッセージを受信するように構成された受信機と、受信されたインジケーション・メッセージに基づいて、セットからの少なくとも１つのユーザ端末に対して、ビーム方向を使用して送信されるデータの伝送をスケジューリングするスケジューラとを含む。
【０００６】
特定の態様は無線通信のための装置を提供する。この装置は一般に、データ伝送のためのビーム方向についてのインジケーションを備える基準信号を送信する手段と、ユーザ端末のセットに対して、ユーザ端末に関連付けられた１又は複数の通信リソースの品質についての、少なくとも１つのインジケーション・メッセージを送ることを求める要求を送信する手段と、セットからの１又は複数のユーザ端末から、少なくとも部分的に基準信号に基づいて生成された１又は複数のインジケーション・メッセージを受信する手段と、受信されたインジケーション・メッセージに基づいて、セットからの１又は複数のユーザ端末のうちの少なくとも１つに対して、ビーム方向を使用して送信されるデータの伝送をスケジューリングする手段とを含む。
【０００７】
特定の態様は、格納された命令セットを有するコンピュータ読取可能媒体を備える無線通信のためのコンピュータ・プログラム製品を提供する。この命令セットは１又は複数のプロセッサによって実行可能である。この命令セットは一般に、データ伝送のためのビーム方向についてのインジケーションを備える基準信号を送信するための命令セットと、ユーザ端末のセットに対して、ユーザ端末に関連付けられた１又は複数の通信リソースの品質についての、少なくとも１つのインジケーション・メッセージを送ることを求める要求を送信するための命令セットと、セットからの１又は複数のユーザ端末から、少なくとも部分的に基準信号に基づいて生成された１又は複数のインジケーション・メッセージを受信するための命令セットと、受信されたインジケーション・メッセージに基づいて、セットからの１又は複数のユーザ端末のうちの少なくとも１つに対して、ビーム方向を使用して送信されるデータの伝送をスケジューリングするための命令セットとを含む。
【０００８】
特定の態様な、無線通信のための装置を提供する。この装置は一般に、データ伝送のためのビーム方向についてのインジケーションを備える基準信号を送信し、ユーザ端末のセットに対して、ユーザ端末に関連付けられた１又は複数の通信リソースの品質についての、少なくとも１つのインジケーション・メッセージを送ることを求める要求を送信し、セットからの１又は複数のユーザ端末から、少なくとも部分的に基準信号に基づいて生成された１又は複数のインジケーション・メッセージを受信し、受信されたインジケーション・メッセージに基づいて、セットからの１又は複数のユーザ端末のうちの少なくとも１つに対して、ビーム方向を使用して送信されるデータの伝送をスケジューリングするように構成された少なくとも１つのプロセッサと、この少なくとも１つのプロセッサに結合されたメモリとを含む。
【０００９】
本開示の特定の態様は、無線通信のための方法を提供する。この方法は一般に、ユーザ端末においてサービス提供中の・セルから、データ伝送のために使用されるサービス提供中の・セルのビーム方向についてのインジケーションを備える基準信号を受信することと、基準信号に示された、ユーザ端末によって観測されているチャネルの品質を測定することとを含み、測定されたチャネル品質についてのインジケーションを送信することを求める要求を、サービス提供中の・セルから受信することと、この要求に応じて、サービス提供中の・セルにインジケーションを送信することとを含む。
【００１０】
特定の態様は、無線通信のための装置を提供する。この装置は一般に、サービス提供中の・セルから、データ伝送のために使用されるサービス提供中の・セルのビーム方向についてのインジケーションを備える基準信号を受信するように構成された受信機と、基準信号に示された、装置によって観測されているチャネルの品質を測定するように構成された回路とを備え、受信機は更に、測定されたチャネル品質についてのインジケーションを送信することを求める要求を、サービス提供中の・セルから受信するように構成されており、この装置はさらに、この要求に応じてサービス提供中の・セルにインジケーションを送信するように構成された送信機を含む。
【００１１】
特定の態様は、無線通信のための装置を提供する、この装置は一般に、データ伝送のために使用されるサービス提供中の・セルのビーム方向についてのインジケーションを備える基準信号をサービス提供中の・セルから受信する手段と、基準信号に示された、装置によって観測されているチャネルの品質を測定する手段と、測定されたチャネル品質についてのインジケーションを送信することを求める要求を、サービス提供中の・セルから受信する手段と、この要求に応じて、サービス提供中の・セルにインジケーションを送信する手段とを含む。
【００１２】
特定の態様は、１又は複数のプロセッサによって実行実行可能な、格納された命令セットを備えるコンピュータ読取可能媒体を備える無線通信のためのコンピュータ・プログラム製品を提供する。この命令セットは、一般に、データ伝送のために使用されるサービス提供中の・セルのビーム方向についてのインジケーションを備える基準信号を、ユーザ端末においてサービス提供中の・セルから受信するための命令セットと、基準信号に示された、ユーザ端末によって観測されているチャネルの品質を測定するための命令セットと、測定されたチャネル品質についてのインジケーションを送信することを求める要求を、サービス提供中の・セルから受信するための命令セットと、この要求に応じて、サービス提供中の・セルにインジケーションを送信するための命令セットとを含む。
【００１３】
特定の態様は、無線通信のための装置を提供する。データ伝送のために使用されるサービス提供中の・セルのビーム方向についてのインジケーションを備える基準信号を、サービス提供中の・セルから受信し、基準信号に示された、装置によって観測されているチャネルの品質を測定し、測定されたチャネル品質についてのインジケーションを送信することを求める要求を、サービス提供中の・セルから受信し、この要求に応じて、サービス提供中の・セルにインジケーションを送信するように構成された少なくとも１つのプロセッサを含む。
【図面の簡単な説明】
【００１４】
以上に記された本開示の特徴が詳細にわたって理解されうるように、上記で簡潔に要約された本開示の、より具体的な説明が態様を参照することによってなされ、実施形態のうちのいくつかは、添付図面において例示される。しかし、同等に効果的なその他の態様が存在しうることをこの説明が認めているように、添付図面は本開示の特定の典型的な態様を例示しているのみであり、従って、本開示の範囲を限定していると見なされるべきではないということが留意されるべきである。
【図１】図１は、本開示の特定の態様に従って、無線通信システムの例を示す。
【図２】図２は、本開示の特定の態様に従って、無線デバイスのスキーム図を例示する。
【図３】図３は、本開示の特定の態様に従って、無線デバイスにおいて利用されうる様々な構成要素を例示する。
【図４】図４は、本開示の特定の態様に従って、接近した加入者グループにおける干渉シナリオの例を示す。
【図５】図５は、本開示の特定の態様に従って、干渉調整シーケンスの例を示す。
【図６】図６は、本開示の特定の態様に従って、干渉調整タイムラインの例を示す。
【図７】図７は、本開示の特定の態様に従って、協調下りリンク伝送を達成するために、セル・サイトで実行される動作の例を示す。
【図７Ａ】図７Ａは、図７に例示された動作を実行することができる構成要素の例を示す。
【図８】図８は、本開示の特定の態様に従って、協調下りリンク伝送を支援するためにユーザ端末において実行されるシグナリング動作の例を示す。
【図８Ａ】図８Ａは、図８に例示された動作を実行することができる構成要素の実例を示す。
【図９】図９は、本開示の特定の態様に従って、異なる数の干渉体の除去を伴う長期にわたる搬送波対干渉（Ｃ／Ｉ）分布の例を示す。
【図１０Ａ】図１０Ａは、本開示の特定の態様に従って、ユーザ毎の空間フィードバック情報レポートの異なる設定での、ユーザ毎のスペクトラル効率の例を示す。
【図１０Ｂ】図１０Ｂは、本開示の特定の態様に従って、ユーザ毎の空間フィードバック情報レポートの異なる設定での、ユーザ毎のスペクトラル効率の例を示す。
【図１１Ａ】図１１Ａは、本開示の特定の態様に従って、異なる伝送技術の相対頻度の実例を示す。
【図１１Ｂ】図１１Ｂは、本開示の特定の態様に従って、異なる伝送技術の相対頻度の実例を示す。
【図１２Ａ】図１２Ａは、本開示の特定の態様に従って、異なるランク値の相対頻度の例を示す。
【図１２Ｂ】図１２Ｂは、本開示の特定の態様に従って、異なるランク値の相対頻度の例を示す。
【発明を実施するための形態】
【００１５】
本開示の様々な態様が、添付図面を参照して、より完全に以下に説明される。しかし、本開示は、多くの異なる形式で実現されるものであり、本開示にわたって示される任意の特定の構造あるいは機能に限定されると解釈されるべきではない。むしろ、これらの態様は、本開示を詳細および完璧にし、本開示の技術的範囲を当業者に完全に伝達するために提供される。本明細書における教示に基づいて、本明細書において開示される開示の態様が、本開示のその他任意の態様と組み合わせて実施されたか、それらと無関係に実施されたかに関わらず、それらをカバーするように本開示の技術的範囲が意図されていることを、当業者は認識するべきである。例えば、本明細書において説明された態様のうちの任意の数の態様を使用して、装置が実現される、あるいは方法が実践される。加えて、本開示の技術的範囲は、そういった装置あるいは方法をカバーするよう意図されており、これらは、本明細書において説明された開示の様々な態様に加えて、あるいはそれら以外に、その他の構造や、機能や、あるいは、構造および機能を使用して実践される。本明細書において開示された本開示の任意の態様が、請求項の１又は複数の構成要素によって実現されうることが理解されるべきである。
【００１６】
単語「典型的（exemplary)」は本明細書において、「例、実例、例示としての役目を果たすこと」を意味するように使用される。「典型的」として本明細書において説明される実施形態は、必ずしもその他の態様より好ましい、あるいは有利なものとして解釈されるものではない。
【００１７】
本明細書において特定の態様が説明されるが、これらの態様の多数の変形および置換が、本開示の技術的範囲内に含まれる。好適な態様のいくつかの利益および利点が述べられるが、本開示の技術的範囲は、特定の利益、用途、あるいは目的に限定されるようには意図されていない。むしろ、本開示の態様は、異なる無線技術、システム構成、ネットワークおよび伝送プロトコルに広く適用可能なように意図されており、これらのうちのいくつかは、図面における実例および以下の好適な態様の説明における実例によって示されている。詳細な説明および図面は、添付の請求項およびそれらの同等物によって定義されている本開示の技術的範囲を限定するものではなく、本開示の例示にすぎない。
【００１８】
無線通信システムの例
本明細書において説明される技術は、符号分割多元接続（ＣＤＭＡ）ネットワークや、時分割多元接続（ＴＤＭＡ）ネットワークや、周波数分割多元接続（ＦＤＭＡ）ネットワークや、直交周波数分割多元接続（ＯＦＤＭＡ）ネットワークや、単一キャリアＦＤＭＡ（ＳＣ−ＦＤＭＡ）ネットワークといった、様々な無線通信ネットワークのために使用されうる。「ネットワーク」や「システム」といった用語はしばしば置換可能に使用される。ＣＤＭＡネットワークは、世界地上無線接続（ＵＴＲＡ）やｃｄｍａ２０００などのようなラジオ技術を実現しうる。ＵＴＲＡは、広帯域ＣＤＭＡ（Ｗ−ＣＤＭＡ）及び低チップ・レート（ＬＣＲ）を含む。ｃｄｍａ２０００は、ＩＳ−２０００規格、ＩＳ−９５規格、ＩＳ−８５６規格をカバーする。ＴＤＭＡネットワークは、グローバル・システム・フォー・モバイル・コミュニケーション（ＧＳＭ（登録商標））のような無線技術を実現しうる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）のような無線技術を実現しうる。ＵＴＲＡ、Ｅ−ＵＴＲＡ、及びＧＳＭは、ユニバーサル・モバイル・テレコミュニケーション・システム（ＵＭＴＳ）の一部である。ロング・ターム・エボリューション（ＬＴＥ）は、Ｅ−ＵＴＲＡを使用するＵＭＴＳの最新リリースである。ＵＴＲＡ、Ｅ−ＵＴＲＡ、ＧＳＭ、ＵＭＴＳ、及びＬＴＥは「第３世代パートナシップ・プロジェクト（３ＧＰＰ）」と命名された団体からの文書において説明される。ｃｄｍａ２０００は「第３世代パートナシップ・プロジェクト２」（３ＧＰＰ２）と命名された団体からの文書において説明される。これらの多様なラジオ技術と規格は当技術分野において周知である。明確にするために、これらの技術の特定の態様がＬＴＥについて下記に記述されており、ＬＴＥ用語がその下記の記述の大部分において使用されている。
【００１９】
単一キャリア変調と周波数領域等値化を利用する技術は、単一キャリア周波数分割多元接続（ＳＣ−ＦＤＭＡ）である。ＳＣ−ＦＤＭＡはＯＦＤＭＡシステムのものと類似の性能と本質的に同じような総合的な複雑性とを有している。ＳＣ−ＦＤＭＡ信号はその固有の単一キャリア構造のためにより低いピーク対平均電力比（ＰＡＰＲ）を有している。特により低いＰＡＰＲが送信電力効率の点において移動端末に大いに利点を与える上りリンク通信において、ＳＣ−ＦＤＭＡは多くの注目を集めてきた。これは現在の３ＧＰＰ  ＬＴＥ、あるいはＥｖｏｌｖｅｄ  ＵＴＲＡにおける上りリンク多元接続スキームに関する動作前提である。
【００２０】
本明細書における教示は、（例えば、ノードのような）様々な有線および無線の装置に組み込まれうる（例えば、それらの中で実施されうる、あるいは、それらによって実行されうる）。いくつかの態様において、本明細書における教示に従って実施される無線ノードは、アクセス・ポイントあるいはアクセス端末を備えうる。
【００２１】
アクセス・ポイント（「ＡＰ」）は、例えば、ノードＢ、無線ネットワーク・コントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線送受信器、基本サービス・セット（「ＢＳＳ」）、拡張サービス・セット（「ＥＳＳ」）、無線基地局（「ＲＢＳ」）、あるいはその他いくつかの用語によって称されるものを含みうる。あるいは、上述のものとして実施されるか、それらの用語で知られうる。
【００２２】
アクセス端末（「ＡＴ」）は、例えば、アクセス端末、加入者局、加入者ユニット、モバイル局、リモート局、リモート端末、ユーザ端末、ユーザ・エージェント、ユーザ・デバイス、ユーザ器機、あるいはその他いくつかの用語によって称されるものを含みうる。あるいは、上述のものとして実施されるか、それらの用語で知られうる。いくつかの実施形態において、アクセス端末は、セルラ電話、コードレス電話、セッション開始プロトコル（「ＳＩＰ」）電話、無線ローカル・ループ（「ＷＬＬ」）局、携帯情報端末（「ＰＤＡ」）、無線接続能力を有するハンドヘルド・デバイス、あるいは、無線モデムに接続されたその他いくつかの適切な処理デバイスを備えうる。従って、本明細書において教示される１又は複数の態様は、電話（例えば、セルラ電話やスマート・フォン）、コンピュータ（例えば、ラップトップ）、ポータブル通信デバイス、ポータブル・コンピューティング・デバイス（例えば、パーソナル・データ・アシスタント）、エンタテイメント・デバイス（例えば、音楽デバイスかビデオ・デバイス、あるいは衛星ラジオ）、世界測位システム・デバイス、あるいは無線あるいは有線媒体によって通信するように構成されたその他任意の適切なデバイスに組み込まれうる。いくつかの態様において、ノードは無線ノードである。このような無線ノードは、例えば、有線あるいは無線通信リンクによる、ネットワーク（例えば、インターネットあるいはセルラ・ネットワークのようなワイド・エリア・ネットワーク）のための接続あるいはそれに対する接続を提供しうる。
【００２３】
図１は、本開示の態様が用いられうる無線通信システムの例１００を示す。無線通信システム１００は、ブロードバンド無線通信システムでありうる。無線通信システム１００は、各々が基地局１０４によってサービス提供されている多数のセル１０２のための通信を提供しうる。基地局１０４は、ユーザ端末１０６と通信する固定局でありうる。基地局１０４は、代替的に、アクセス・ポイント、ノードＢあるいはその他いくつかの用語で称されうる。
【００２４】
図１は、システム１００にわたって分散された様々なユーザ端末１０６を図示する。ユーザ端末１０６は、据置式（固定式）すなわち、あるいは移動式でありうる。ユーザ端末１０６は代替的に、リモート局、アクセス端末、端末、加入者ユニット、モバイル局、局、ユーザ器機などと称されうる。ユーザ端末１０６は、セルラ電話のような無線デバイス、携帯情報端末（ＰＤＡ）、ハンドヘルド・デバイス、無線モデム、ラップトップ・コンピュータ、パーソナル・コンピュータなどと称されうる。
【００２５】
基地局１０４とユーザ端末１０６との間の無線通信システム１００における伝送のために、様々なアルゴリズムおよび方法が、使用されうる。例えば、信号は、ＯＦＤＭ／ＯＦＤＭＡ技術に従って、基地局１０４とユーザ端末１０６との間で送信および受信されうる。この場合は、無線通信システム１００は、ＯＦＤＭ／ＯＦＤＭＡシステムと称されうる。代替的に、ＳＣ−ＦＤＭＡ技術に従って、信号は基地局１０４とユーザ端末１０６との間で送信および受信されうる。この場合は、無線通信システム１００は、ＳＣ−ＦＤＭＡシステムと称されうる。
【００２６】
基地局１０４からユーザ端末１０６への伝送を容易にする通信リンクは、下りリンク（ＤＬ）１０８と称され、ユーザ端末１０６から基地局１０４への伝送を容易にする通信リンクは上りリンク（ＵＬ）１１０と称されうる。代替的に、下りリンク１０８は、フォワード・リンクあるいはフォワード・チャネルと称され、上りリンク１１０は、リバース・リンクあるいはリバース・チャネルと称されうる。
【００２７】
セル１０２は、複数のセクタ１１２に分割されうる。セクタ１１２は、セル１０２内の物理的なカバレッジ・エリアである。無線通信システム１００内の基地局１０４は、セル１０２の特定のセクタ１１２内の電力フローを集中させるアンテナを利用しうる。このようなアンテナは、指向性アンテナと称されうる。
【００２８】
図２は、本明細書において説明された特定の態様に従って、無線ネットワーク環境の例２００を示す。無線ネットワーク環境２００は、簡潔化のために、１つの基地局２１０および１つのモバイル・デバイス２５０を図示する。しかし、システム２００は１又は複数の基地局および／あるいは１又は複数のモバイル・デバイスを含み、ここにおいて、追加の基地局および／あるいはモバイル・デバイスは、本明細書において説明された例示された基地局２１０、および例示されたモバイル・デバイス２５０と実質的に類似しうる、あるいはそれらとは異なりうるということが意図されている。それに加えて、基地局２１０および／あるいはモバイル・デバイス２５０は、それらの間の無線通信を容易にするために、本明細書において説明されたシステム、技術、構成、態様、および／あるいは、方法を用いうる。
【００２９】
基地局２１０において、多数のデータ・ストリームのためのトラフィック・データが、データ・ソース２１２から送信（ＴＸ）データ・プロセッサ２１４へ提供される。特定の態様において、各データ・ストリームは、それぞれのアンテナによっておよび／あるいは複数のアンテナによって送信されうる。ＴＸデータ・プロセッサ２１４は、符号化されたデータを提供するためのトラフィック・データ・ストリームのために選択された特定の符号化スキームに基づいて、そのデータ・ストリームをフォーマット、符号化、およびインタリーブする。
【００３０】
各データ・ストリームのための符号化されたデータは、例えば、直交周波数分割多重化（ＯＦＤＭ）技術を使用して、パイロット・データと共に多重化されうる。追加的にあるいは代替的に、パイロット・シンボルは、符号化されたデータと共に符号分割多重化（ＣＤＭ）されるか、周波数分割多重化（ＦＤＭ）されるか、時分割多重化（ＴＤＭ）されうる。パイロット・データは通常、既知のやり方で処理される既知のデータ・パターンであり、チャネル応答もしくはその他の通信パラメータおよび／あるいは特性を推測するために、モバイル・デバイス２５０において使用されうる。各データ・ストリームのための多重化されたパイロットおよび符号化されたデータは、そのデータ・ストリームのために選択された特定の変調スキーム（例えば、２相位相偏移変調（ＢＰＳＫ）、４相位相偏移変調（ＱＰＳＫ）、Ｍ−位相偏移変調（Ｍ−ＰＳＫ）、Ｍ−直交振幅変調（Ｍ−ＱＡＭ）など）に基づいて変調（例えば、シンボル・マッピング）され、変調シンボルが提供されうる。各データ・ストリームに対するデータ・レート、符号化、変調は、プロセッサ２３０によって実行あるいは提供された命令セットによって決定されうる。
【００３１】
データ・ストリームのための変調シンボルは、この変調シンボルをさらに処理しうるＴＸ  ＭＩＭＯプロセッサ２２０に提供されうる。ＴＸ多重入力多重出力（ＭＩＭＯ）プロセッサ２２０はその後、ＮＴ個の変調シンボル・ストリームを、ＮＴ個の送信機（ＴＭＴＲ）２２２a乃至２２２ｔに提供する。特定の態様において、ＴＸ  ＭＩＭＯプロセッサ２２０は、空間多重化、ダイバーシティ符号化、あるいは事前符号化のような、特定のマルチ・アンテナ技術を適用する（すなわち、データ・ストリームの変調シンボルと、このシンボルの送信元であるアンテナとに適用される重みを用いた、ビームフォーミング）。
【００３２】
各送信機２２２は、それぞれの変調シンボル・ストリームを受信および処理して１又は複数のアナログ信号を提供し、このアナログ信号を調整（例えば、増幅、フィルタ、アップコンバート等）してＭＩＭＯチャネルによる伝送に適切な変調された信号を提供する。更に、送信機２２２ａ乃至２２２ｔからのＮＴ個の変調された信号が、ＮＴ個のアンテナ２２４ａ乃至２２４ｔから、それぞれ送信される。
【００３３】
モバイル・デバイス２５０において、送信された変調された信号は、ＮＲ個のアンテナ２５２ａ乃至２５２ｒによって受信され、各アンテナ２５２から受信された信号は、それぞれの受信機（ＲＣＶＲ）２５４ａ乃至２５４ｒに提供される。各受信機２５４は、それぞれの信号を調整（例えば、フィルタ、増幅、ダウンコンバート等）し、調整された信号をデジタル化してサンプルを提供し、更に、サンプルを処理して対応する「受信された」シンボル・ストリームを提供する。
【００３４】
受信（ＲＸ）データ・プロセッサ２６０は、特定の受信機処理技術に基づいて、ＮＲ個の受信機２５４から受信されたＮＲ個のシンボル・ストリームを受信および処理し、ＮＴ個の「検出された」シンボル・ストリームを提供しうる。ＲＸデータ・プロセッサ２６０は、各検出されたシンボル・ストリームを復調、デインタリーブ、および復号して（また、各検出されたシンボル・ストリームのためのその他の処理を実行して、）データ・ストリームのためのトラフィック・データを復元し、このトラフィック・データをデータ・シンク２６２に提供しうる。特定の態様において、モバイル・デバイス２５０について、ＲＸデータ・プロセッサ２６０による処理は、基地局２１０においてＴＸ  ＭＩＭＯプロセッサ２２０およびＴＸデータ・プロセッサ２１４によって実行される処理に対して相補的でありうる。
【００３５】
プロセッサ２７０は、上記で説明されたように、どの事前符号化行列を利用するかを定期的に決定しうる。更に、プロセッサ２７０は、行列インデックス部およびランク値部を備えるリバース・リンク・メッセージを公式化しうる。リバース・リンク・メッセージは、通信リンクおよび／あるいは受信されたデータ・ストリームに関する様々な種類の情報を備えうる。リバース・リンク・メッセージは、データ・ソース２３６から多数のデータ・ストリームのためのトラフィック・データも受信するＴＸデータ・プロセッサ２３８によって処理され、変調器２８０によって変調され、送信機２５４ａ乃至２５４ｒによって調整され、基地局２１０に送信し返されうる。
【００３６】
基地局２１０において、モバイル・デバイス２５０からの変調された信号は、ＮＲ個のアンテナ２２４によって受信され、ＮＲ個のそれぞれの受信機２２２によって調整され、復調器２４０によって復調され、ＲＸデータ・プロセッサ２４２によって処理されて、モバイル・デバイス２５０によって送信されたリバース・リンク・メッセージが抽出され、このリバース・リンク・メッセージはデータ・シンク２４４に提供される。更に、プロセッサ２３０は、抽出されたメッセージを処理して、ビームフォーミング重みを決定するためにどの事前符号化行列を使用するかを決定する。
【００３７】
プロセッサ２３０、２７０は、基地局２１０およびモバイル・デバイス２５０における動作をそれぞれ指示（例えば、制御、コーディネート、管理等）しうる。それぞれのプロセッサ２３０および２７０は、プログラム・コードおよびデータを格納するメモリ２３２および２７２に関連付けられうる。プロセッサ２３０、２７０は更に、上りリンクおよび下りリンクについての周波数およびインパルス応答の推定値を導出するために計算を実行しうる。全ての「プロセッサ」機能は、複数のプロセッサ・モジュールの間で互いに移譲可能であることから、特定のプロセッサ・モジュールは特定の態様に存在しない、あるいは、本明細書に例示されていない追加のプロセッサ・モジュールが存在しうる。
【００３８】
（本明細書において開示される全てのデータ記憶装置を有する）メモリ２３２、２７２は、揮発性メモリあるいは非揮発性メモリのどちらかであるか、揮発性部および非揮発性部の両方を含むかであり、また、固定式か、取り外し可能か、あるいは固定部と取り外し可能部の両方を含みうる。限定ではなく例示として、非揮発性メモリは読取専用メモリ（ＲＯＭ）、プログラマブルＲＯＭ（ＰＲＯＭ）、電子的プログラマブルＲＯＭ（ＥＰＲＯＭ）、電子的消去可能ＰＲＯＭ（ＥＥＰＲＯＭ）、フラッシュ・メモリを含みうる。揮発性メモリは、ランダム・アクセス・メモリ（ＲＡＭ）を含みうる。これは、外部キャッシュ・メモリの役割をする。限定ではなく例示として、ＲＡＭは、例えば、同期ＲＡＭ（ＳＲＡＭ）、動的ＲＡＭ（ＤＲＡＭ）、同期ＤＲＡＭ（ＳＤＲＡＭ）、ダブル・データ・レートＳＤＲＡＭ（ＤＤＲ  ＳＤＲＡＭ）、改良ＳＤＲＡＭ（ＥＳＤＲＡＭ）、シンクリンクＤＲＡＭ（ＳＬＤＲＡＭ）およびダイレクト・ラムバスＲＡＭ（ＤＲＲＡＭ）のような、多くの形態で利用可能である。特定の態様のメモリ２３２、２７２は、これらのメモリに限定されることなく、これらのメモリおよびその他任意のメモリを備えるよう意図されている。
【００３９】
図３は、図１に例示された無線通信システム内で用いられうる無線デバイス３０２において利用されうる様々な構成要素を例示する。無線デバイス３０２は、本明細書において説明された様々な方法を実施するように構成されうるデバイスの実例である。無線デバイス３０２は、基地局１００あるいはユーザ端末１１６、１２２のうち任意のものでありうる。
【００４０】
無線デバイス３０２は、無線デバイス３０２の動作を制御するプロセッサ３０４を含みうる。プロセッサ３０４は、中央処理ユニット（ＣＰＵ）とも称されうる。読取専用メモリ（ＲＯＭ）とランダム・アクセス・メモリ（ＲＡＭ）との両方を含みうるメモリ３０６は、命令セットおよびデータをプロセッサ３０４に提供する。メモリ３０６の一部は、非揮発性のランダム・アクセス・メモリ（ＮＶＲＡＭ）も含みうる。プロセッサ３０４は通常、メモリ３０６に格納されたプログラム命令セットに基づいて、論理演算および算術演算を実行する。メモリ３０６における命令セットは、本明細書において説明された方法を実施するように実行可能でありうる。
【００４１】
無線デバイス３０２は、無線デバイス３０２とリモート位置との間でのデータの伝送および受取を可能にするために、送信機３１０および受信機３１２を含みうるハウジング３０８をも含みうる。送信機３１０および受信機３１２は、トランシーバ３１４に結合されうる。単一あるいは複数の送信アンテナ３１６は、ハウジング３０８に取り付けられ、電子的にトランシーバ３１４に結合されうる。この無線デバイス３０２は更に、複数の送信機、複数の受信機、および複数のトランシーバ（図示せず）を含みうる。
【００４２】
無線デバイス３０２は、トランシーバ３１４によって受信された信号のレベルを検出および数値化しようとするために使用されうる信号検出器３１８をも含みうる。信号検出器３１８は、総エネルギー、シンボル毎の加入者毎のエネルギー、電力スペクトル密度、およびその他の信号、といったような信号を検出しうる。無線デバイス３０２は、信号を処理する際に使用するためのデジタル信号プロセッサ（ＤＳＰ）３２０をも含みうる。
【００４３】
無線デバイス３０２の様々な構成要素が、バス・システム３２２によって一緒に結合されうる。これは、データ・バスに加えて、電力バス、制御バス、状態バスを含みうる。
【００４４】
本開示の特定の態様は、協調下りリンク伝送のためのセル間の協働（cooperation）シグナリング（すなわち、無線通信システムの隣接するセル間でのシグナリング）を支援する。提案されたアプローチを適用することによって、セル間の干渉を軽減することにおける実質的な利得が達成されうる。
【００４５】
（協働的な伝送：シナリオおよび要件）
図１に例示された無線ネットワーク１００のような、無線ネットワークにおける展開シナリオおよびセル間の協働の様々な形態が、下りリンク協調シグナリングのための要件を説明するために最初に議論される。下りリンク協調ビーム切替が考慮されうる。これは、協働的ビームフォーミング（ＣＢ）のシンプルな形態を表す。本開示の特定の態様は、セル毎に予め定められたパターンを用いて下りリンク・ビーム掃引を実行することを支援する。異なるセルのビーム・パターンは、時間／周波数リソース（すなわち、サブフレームおよび／あるいはリソース・ブロック（ＲＢ））にわたって同期され、ユーザ機器（ＵＥ）は、サービス提供中のビームと干渉しているビームとの異なる組合せに対応する異なるリソース上で観測されたチャネル品質を定期的にフィード・バックしうる。
【００４６】
各セルは、チャネルおよび干渉の条件に従ってＵＥをスケジューリングし、もって、臨機応変型（opportunistic）ビームフォーミングおよび（空間）干渉の回避を同時に達成しうる。ビームの予め定義されたセットに基づくこのようなセル間の協働は、ベースライン非協調伝送の閉ループ事前符号化の利得を空間干渉回避利得と引き換えにトレードしうる。このようなトレードオフは、ＵＥが少数個(a few)だけセル内に存在するようなシナリオにおいては、および／あるいは、集中的なトラフィック・パターンに対しては、有益とはなり得ない。実際的関心のシナリオにおいて、閉ループ事前符号化の利得を失うことなく空間調整利得を利用するために、アクティブなＵＥのセットと、それらのＱｏＳおよび公平性の観点から見た優先順位と、更に、短期間にわたるチャネル条件とに基づいて、全てのセル内のサービス提供中のビームの短期間にわたる選択と共に、協調スケジューリングが可能になりうる。
【００４７】
協調ビーム切替は、可能性として多数のＵＥからの適時的なチャネル品質フィードバックの利用可能度合いに依存しうるということが注目されるべきである。フィードバックの全オーバヘッドは、リソース特有のレポーティングおよび／あるいはＭＩＭＯ伝送の存在下において更に高くなりうる。空間調整によるビームのバリエーションだけでなく、異機種ネットワークにおける干渉調整による送信電力の変動が、異なるリソースにわたるチャネル品質情報（ＣＱＩ）における多大な変動をもたらしうる。リソース特有のレポーティングは、これらのシナリオにおいて特に重要となりうる。スケジューリングの優先順位および／あるいはバッファの利用可能度合いに基づいて、制限された数のＵＥが、次のサブフレームにおけるスケジューリングに考慮されているシナリオにおいて、上りリンク・フィードバックの量は実質的に低減されうる。
【００４８】
チャネル品質レポーティングに関連付けられた上りリンク・オーバヘッドを低減するために、サービス提供中のセルが、次のサブフレームにおけるスケジューリングが考慮されているＵＥのサブセットからの（リソース特有の）チャネル品質レポートを要求する場合に、ポーリングに基づく（poll-based）レポーティングが可能になりうる。これらのチャネル品質レポートは、レポートされたリソース上でサービス提供中のセルおよび干渉しているセルによって使用される実際のビームに基づきうる。
【００４９】
上述されたシナリオにおいて、セル間の協働は、好適なチャネル条件および干渉条件に基づいて、ＵＥの臨機応変型スケジューリングに制限されうる。このようなシンプルな形態の協働は、比較的多数のアクティブＵＥと、空間チャネル条件のダイバーシティとを有するＷＷＡＮ展開において見られるいくつかのシナリオにおいては十分でありうるが、対象となる多くのケースにおいて不十分でありうる。
【００５０】
このような状況は、例えば、隣接セルとのハンドオフ領域内に位置するセルにアクティブなＵＥを少数個のみ有するシナリオにおいて生じうる。これらのようなＵＥは、隣接セル間にいくらかの協働が存在しない限り、ほとんどの時間の間、質の悪いチャネル品質を経験しうる。協働は、干渉を受けているＵＥの信号対干渉および雑音の比（ＳＩＮＲ）を改善するために、サービス提供中のセルが直交ビームを選択する、あるいは単に、サービス提供中のセルがいくつかのリソース上における送信電力を低減するという形態をとりうる。隣接セルによる協働の代償は、特に、これらのセルがキャリア対干渉（C／Ｉ）比が中程度から高いＵＥにサービス提供している場合に比較的低くなりうるということが留意されるべきである。
【００５１】
別の実例は、図４に例示されたクローズド加入者グループ（ＣＳＧ）を伴うＨｅＮＢ展開でありうる。通常のＨｅＮＢ展開において、ほとんどのセルは小数個（通常は１つだけ）のアクティブなＵＥにのみ関連付けられうる。この実例において、図４に例示されたように、ＵＥ１はＨｅＮＢ１に関連付けられうるが、ＵＥ１がＨｅＮＢ２への、（著しく）より強いチャネルを有するということが起こり得る。これは、異なるＣＳＧに属し、ＵＥ２にサービス提供しうる。この場合において、スループット公平性のトレードオフが、ＨｅＮＢ１とＨｅＮＢ２との間の協働を通して著しく改善しうる。前の実例においてのように、協働は、ＵＥ１にもたらす干渉の量を低減するために、ＨｅＮＢ２がＵＥ１から離れて進むビームを選択するという形態を取るか、あるいは、ＨｅＮＢ２が送信電力を低減する形態をとりうる。臨機応変型協働は、ＵＥ１がほとんどの時間の間低いサービス提供中のＣ／Ｉ条件を観測しうるこのシナリオにおいては十分とはなり得ない。
【００５２】
更に、実際面において重要な多くシナリオにおいて、レイテンシの低い様式でセル間の協働を可能にすることが重要でありうる。１つの典型的なケースは、サービス提供されているＵＥが、集中的なトラフィックの到着を観測する場合である。低速時間スケールでの干渉調整は、著しく非効率的なリソース用途をもたらし、ＵＥによって経験されるパケット・レイテンシに悪影響を与えうる。更に、低速時間スケールでの干渉調整は、移動度が中程度および高いシナリオにおいて、空間情報が古くなることをもたらし、いくつかのケースにおいて、空間調整を無効にしうる。
【００５３】
（例えば、図４に例示されるＣＳＧにおける）干渉が著しいシナリオにおいて、効率的な協働を可能にするため、および、スループット／公平性のトレードオフを改善させるため、近隣のセルによる協働（すなわち、適切な電力あるいはビーム選択）を要求する低レイテンシ・メカニズムが有益でありうる。
【００５４】
（シグナリング構成およびタイムライン）
先に説明された干渉調整は、十分に速いバックホールが利用可能な場合に、バックホールＸ２インタフェースによって実行されうる。しかし、先に説明されたＨｅＮＢシナリオのような多くのシナリオにおいて、バックホールは低速かつ信頼性が低いか、あるいはＸ２インタフェースを欠きうる。このようなシナリオの説明をするために、予め概要を説明された要件を満たす無線（オーバ・ザ・エア：ＯＴＡ）シグナリング設計が本開示において提案される。この設計は図５の実例によって示され、対応する時系列は図６において例示される。
【００５５】
全てのサブフレームおよび時間周波数リソースのセット（例えば、所与のサブフレームのＲＢのセット）について、各セルは、これらのリソースに暫定的に割り当てられるＵＥのサブセットを決定しうる。一般に、この決定はスケジューリング決定の長期にわたる予測の有益性に基づいて実行されうる。この決定に従って、各セルは、図５Ａに例示されたように、それらの１又は複数の支配的干渉体に１又は複数の空間フィードバック情報（ＳＦＩ）メッセージを配信するために、暫定的に割り当てられたＵＥのうちの全てあるいはいくつかに要求を送りうる。
【００５６】
サービス提供中のセル（例えば、図５に例示されたセル１）から送信された、ＳＦＩ−ＲＥＱと呼ばれる、ＳＦＩに対するこのような要求は、ターゲットとなる支配的干渉体と、おそらくは、ＵＥ（例えば、図５のＵＥ１．１）が予めスケジューリングされている周波数リソースとを示しうる。ＳＦＩ−ＲＥＱを受信した各ＵＥは、その後、図５Ｂに例示されたような、ＳＦＩ−ＲＥＱに示された全てのターゲット・セルにＳＦＩを送る。ＳＦＩレポートは、ＵＥとＳＦＩが送られたセルとの間にチャネルの量子化された空間方向を含みうる。これはチャネル方向情報（ＣＤＩ）と呼ばれる。このフィードバックは、レポートしているＵＥに対する干渉が適切に低減されうるように、送信ビームを協働的に選択する（あるいは、下りリンク伝送をゲートする）ためにターゲット・セルによって利用されうる。
【００５７】
ＣＤＩ量子化は、より高い精度が要求されうるが、ＬＴＥリリース８において規定される事前符号化行列インジケーション（ＰＭＩ）と同じ一般的原理に従う。ＣＤＩに加えて、ＵＥはサービス提供中の・セルの暫定的なＰＭＩもレポートしうる。このような暫定的なＰＭＩは、受信しているセルによって、そのセルが有するＵＥにもたらされる干渉を見積もり、その後サービス提供されるＵＥの選択を改良するために使用されうる。各ＳＦＩメッセージは更に、データ伝送のためのビーム方向の調節のために、受信しているセルにおいて利用される別のＰＭＩを備えうる。
【００５８】
ＳＦＩレポートは、例えば、量子化された予測の有益性、あるいはバックホールによって更新される長期間にわたる予測の有益性に関連する短期間にわたる予測の有益性、のような効用についての情報も含みうる。この効用は、ターゲット・セルに対する暫定的な割り当てに関連付けられ、この特定のＵＥに”与えること（yielding）”対その他のＵＥに与えることについての効用、および／あるいは、自己の有するＵＥにサービス提供するために非協働的ビームを使用することを選択することによって受信された要求と協働しないことを選択することについての効用を評価しうる。
【００５９】
近隣のＵＥからＳＦＩを受け取ると、受信しているｅＮＢは、スケジューリング決定を改良し、ターゲット・サブフレームについての、最終の送信電力およびビーム決定を行いうる。これらの決定は、スケジューリングが考慮されているＵＥによってその後実行され、これらＵＥによって、これらＵＥのサービス提供中のセルにレポートされるＣ／Ｉ測定に反映されうる。
【００６０】
図５Ｃに例示されるように、各セルは、リソースの対応するセット上で使用される送信電力スペクトル密度（ＰＳＤ）レベルおよびビーム方向を反映する基準信号を送信しうる。このリソースの対応するセット上において、これらのＰＳＤおよびビーム方向を用いた下りリンク伝送が、ターゲット・サブフレームにおいて行われうる。この基準信号は、リソースの特定のセット上でＵＥによって観測されるチャネル品質を測定するために使用されうるので、リソース品質インジケーション基準信号（ＲＱＩ−ＲＳ）と称されうる。このようなＲＱＩ−ＲＳは、サブフレーム毎のリソース・ユニットに関連付けられたリソース要素（ＲＥ）の小さなセットを備え、このリソース・ユニットに対応する信号および干渉（および雑音）エネルギーを測定するために使用されうる。
【００６１】
リソース・ユニットの適切な選択は、例えば、１．０８ＭＨｚあるいは５ＭＨｚのような干渉調整の望ましい粒度に依存しうる。全てのセルが、同じセットあるいはリソース特有のＲＥで全てのリソース・ユニットのためのＲＱＩ−ＲＳをブロードキャストし、異なるセル特有のスクランブリングを使用しうる。その後、ＵＥは、サービス提供中の・セルのスクランブリング・コードを使用することによって、信号の構成要素を測定し、残りのエネルギーを干渉および雑音として扱いうる。このような設計によって、望ましいリソース粒度に依存する（およそ１％の）小さなオーバヘッドを用いた、リソース特有のチャネル条件の正確な測定が可能になりうる。
【００６２】
ＲＱＩ−ＲＳを送信するのと同時に、各セルは、図５Cにも例示されるように、ＵＥの予め選択されたセットにリソース品質インジケーションを送るよう求める要求（ＲＱＩ−ＲＥＱ）を送信しうる。送信されたＲＱＩ−ＲＥＱメッセージは、ＲＱＩ−ＲＥＱに示されたリソース・ユニットに対応するリソース品質インジケーション（ＲＱＩ）をレポートすると期待される１又は複数のＵＥを識別しうる。ＲＱＩ−ＲＥＱによってターゲットとされたＵＥのセットは、近隣のセルにおけるＵＥから受信されたＳＦＩに基づいて改良されうるので、暫定的にスケジューリングされたＵＥの最初のセットとは異なりうるということが留意されるべきである。リソースのセットについてのＲＱＩ−ＲＥＱを受信した各ＵＥは、対応するＲＱＩ−ＲＳに基づいて、このリソースのセットに対応する（短期間にわたる）チャネル品質をレポートしうる。セルは、同じリソースのセットに対応するＲＱＩをレポートすることを複数のＵＥに対して要求しうるので、全てのチャネル品質レポートに基づいて、臨機応変型のスケジューリング決定を行うことができる。
【００６３】
図５に例示された実例において、セル１およびセル２は、暫定的にＵＥ１．１およびＵＥ２．１を選択し、それに応じて、ＳＦＩ−ＲＥＱ５０２およびＳＦＩ−ＲＥＱ５０４を送りうる。セル１のＳＦＩ−ＲＥＱ５０２に示された効用レベルは、セル２のＳＦＩ−ＲＥＱ５０４に示された効用レベルを超えうる。従って、セル２は、ＵＥ１．１からＳＦＩ５０６を受け取ると、送られた／受信された優先度の比較に基づいてセル１に与え、同様に、セル１はセル２に与えることができない。その結果として、セル１は、ＵＥ１．１に向かってビーム方向を選択し、それに応じてＲＱＩ−ＲＳ５０８を送信して、その一方でＲＱＩ−ＲＥＱ５１０をＵＥ１．１に送信する。
【００６４】
逆に、セル２のスケジューラは、最初に選択されたＵＥ２．１よりも、セル１からの干渉による影響を受けないＵＥ２．２をスケジューリングすることを決定しうる。従って、セル２は、ＵＥ１．１に対する干渉低減と、サービス提供されるＵＥ２．２に対する事前符号化利得との間で適切にトレードが成り立つ送信ビームを選択しうる。ここにおいて、適切なトレードオフは、対応するスケジューリング決定の予測の有益性に基づいて確立されうる。同時に、セル２は、ＵＥ２．２にＲＱＩ−ＲＥＱ５１２を送信しうる。ＵＥ１．１およびＵＥ２．２のそれぞれからＲＱＩレポート５１４および５１６を受け取ると、セル１およびセル２は、それぞれのスケジューリング決定を行い、レポートされたチャネル品質に従って変調符号化スキーム（ＭＣＳ）を選択し、それに応じて、下りリンク許可（grant）を発しうる。
【００６５】
説明されたこの手順は、各セルが単一の送信アンテナのみを装備している場合も適用されることができる。この場合、ＳＦＩを受信したセルの応答は、ＳＦＩに含まれる効用情報に基づく送信電力の変更に制限されうる。本開示の１つの態様において、ＳＦＩを受信したセルは、受信されたＳＦＩに示された効用利得が、このＵＥをスケジューリングすることによって取得される効用よりも高い場合に、自己の有するＵＥをスケジューリングしない（あるいは、より低い電力でスケジューリングする）ことを選択しうる。別の態様において、セルは、自己の有するＵＥをスケジューリングすることについての効用が高い場合、ＳＦＩを受信することを無視することを選択しうる。特定の態様について、ＳＦＩは、このセルが複数の送信アンテナを装備している場合でさえ、干渉しているセルに送信電力を低減するよう求めうる。これは、例えば、移動度が高いシナリオにおいて、ＳＦＩを配信することについてのレイテンシが、好適なビーム方向を無意味にする場合においてである。
【００６６】
図５に例示された干渉調整シーケンスに対応する図６のタイムラインの例に従って、連続するステップの間に２乃至４サブフレームの間隔が存在し、もって、リンクの両端における効率的な処理時間を可能にしうる。８乃至１６サブフレームの総合遅延が、初期（暫定的）割当と許可／データ（すなわち、物理下りリンク共有チャネル（ＰＤＳＣＨ））伝送との間に存在しうる。しかし、協働がサービス提供中の・セルによる干渉を意識したスケジューリングに制限される場合、ＳＦＩ−ＲＥＱおよびＳＦＩ伝送は、臨機応変型スケジューリング設定で回避されうる。
【００６７】
このアプローチは、アクティブＵＥの数が比較的多く、それ故に、臨機応変型スケジューリングがかなりの割合の協働利得を提供し、かつ、ＳＦＩ−ＲＥＱ／ＳＦＩの余分なオーバヘッドを回避することが望ましいＷＷＡＮ展開シナリオにおいて適切である。この場合において、干渉を意識したスケジューリングの全体遅延は、４乃至８サブフレームに制限されうる。しかし、強い支配的干渉体の存在を伴うマルチユーザ・ディバーシティの欠如が送信機による明示的な干渉の軽減を要求しうる、アクティブＵＥの数が制限されているシナリオおよび干渉条件が厳しいシナリオ（例えば、ＣＳＧ）において、ＳＦＩベースの調整は信頼できる。ＳＦＩベースの調整は、支配的干渉体を沈黙させることができるため、移動度の高いＵＥにとっても有益でありうる。これは、移動度の高いシナリオにおける干渉低減の唯一のメカニズムでありうる。
【００６８】
更に、先に述べられたように、バックホールの信頼性が高く、Ｘ２インタフェースが利用可能である場合に、干渉調整はバックホールＸ２インタフェースによって実行されうる。この場合、ターゲット（干渉している）セルのＣＤＩは、オーバ・ザ・エアでサービス提供中の・セルにレポートされ、バックホールによってターゲット・セルに転送されうる。サービス提供中の・セルへのＣＤＩ伝送は、調査をベースとする（例えば、ＳＦＩ−ＲＥＱに従う）か、移動度が低いおよび／あるいは送信アンテナが相関付けられている場合には定期的なレポートに基づきうる。このような場合において、ＳＦＩ−ＲＥＱ／ＳＦＩシグナリングのオーバヘッドも回避されうる。ターゲット・セルへのオーバ・ザ・エアＳＦＩ伝送は、ＨｅＮＢ展開のような、ノード間制御のためのバックホール・プロビジョニングが不十分な場合において望まれうる。アクティブＵＥの数が制限されているために、全体上りリンク・オーバヘッドは、このようなシナリオにおいてはそれほどの懸念とはなり得ない。
【００６９】
本開示の特定の態様は、様々なＵＥレポートと、それに対応するサービス提供中の・セルによる要求とを支援し、様々な展開シナリオにおいて効果的な干渉調整を可能にする。サービス提供中の・セルへのＲＱＩ−ＲＳおよび調査ベースのＲＱＩレポーティングは、広範囲の展開シナリオにわたって、正確なレート予測（prediction）および臨機応変型空間干渉回避を可能にするために実施されうる。従って、ＵＥによって、それらの潜在的（支配的）干渉体に送られる明示的なオーバ・ザ・エア協働要求は、ＣＳＧ  ＨｅＮＢ展開のようないくつかの展開シナリオにおいて実質的な利益を可能にする。展開シナリオに依存する制御オーバヘッドの量と協調マルチポイント利得とをトレード・オフすることを、様々なレポートができるようにする柔軟性を、提案された設計は提供しうる。
【００７０】
図７は、本開示の特定の態様に従って、協調下りリンク伝送を達成するためにセル・サイトで実行されうる動作の例７００を示す。７０２において、セルは、１又は複数の近隣のユーザ端末から１又は複数の空間フィードバック情報（ＳＦＩ）メッセージを受信し、なお、各ＳＦＩメッセージは、近隣のユーザ端末の１又は複数の干渉しているセルに空間フィードバック情報を配送するよう求める要求（ＳＦＩ−ＲＥＱ）に応じて送信され、ＳＦＩメッセージは、近隣のユーザ端末のうちの１つとセルとの間のチャネルについての情報を備えうる。７０４において、データ伝送のためのビーム方向は、ＳＦＩメッセージに基づいて調節されうる。７０６において、セルは、調節されたビーム方向についてのインジケーションを備える基準信号を送信しうる。
【００７１】
７０８において、セルは、ユーザ端末に関連付けられた１又は複数の通信リソースの品質についての、少なくとも１つのインジケーション・メッセージを送るよう求める要求を、ユーザ端末のセットに送信しうる。７１０において、セルは、基準信号に少なくとも部分的に基づいて生成された１又は複数のインジケーション・メッセージを、１又は複数のユーザ端末から受信しうる。７１２において、セルは、受信されたインジケーション・メッセージに基づいて、セットからのユーザ端末のうちの１つへのデータの伝送をスケジューリングしうる。このデータは、調節されたビーム方向を使用して送信されうる
図８は、本開示の特定の態様に従って、協調下りリンク伝送を支援するためにユーザ端末において実行されうるシグナリングのための動作の例８００を示す。８０２において、１又は複数の干渉しているセルに対して空間フィードバック情報を配送するよう求める要求（ＳＦＩ−ＲＥＱ）に応じて、ユーザ端末は１又は複数のＳＦＩメッセージを送信し、なお、各ＳＦＩメッセージは、ユーザ端末と干渉しているセルのうちの１つとの間のチャネルについての情報を備え、ＳＦＩ−ＲＥＱは、ユーザ端末のサービス提供中の・セルから送信されうる。８０４において、ユーザ端末は、サービス提供中の・セルの調節されたビーム方向についてのインジケーションを備える基準信号を、サービス提供中の・セルから受信し、この調節は、干渉しているセルによってサービス提供される１又は複数のユーザ端末からの、サービス提供中の・セルにおいて受信された１又は複数のＳＦＩメッセージに基づく。
【００７２】
８０６において、基準信号に示されたチャネル品質が測定されうる。このチャネルはユーザ端末によって観測されている。８０８において、ユーザ端末は、測定されたチャネル品質についてのインジケーションを送信するよう求める要求を、サービス提供中の・セルから受信しうる。８１０において、この要求に応じて、ユーザ端末はインジケーションをサービス提供中の・セルに送信しうる。８１２において、ユーザ端末は、データをサービス提供中の・セルから受信しうる。なお、このデータは、調節されたビーム方向を使用してインジケーションに従って送信される。
【００７３】
（シミュレーション結果）
示されるシミュレーション結果は、ＨｅＮＢ展開における空間干渉調整によって達成可能な公平性利得を強調している。例えば、ドロップ毎に単一のビルディングを有するＨｅＮＢ展開モデルが考慮されうる。各アパートメントは、関連付けられたＵＥを伴うＨｅＮＢを有するが、ランダムに選択されたＨｅＮＢ／ＵＥ対の２０％のみが任意のドロップにおいてアクティブでありうる。全てのＵＥは、受信アンテナを２つ装備しうる、また、各ＨｅＮＢは、送信アンテナを２つか４つ装備しうる。周波数平坦レイリー独立同一分布（ｉ．ｉ．ｄ．）フェージングが、時間内にフェージングする独立ブロックで全ての送信／受信アンテナにわたると考えられうる。特に、図６に例示されたように、チャネル・フェードは、空間調整タイムラインの全ての実例にわたって一定に留まりうるが、複数のインスタンスにわたって、ｉ．ｉ．ｄ．形式で変化しうる。
【００７４】
この特定のモデリングは、ＨｅＮＢ展開における長期にわたるスループットの正確な評価を提供しうる。ここでは、ＵＥ移動度が低いと仮定すると、調整レイテンシ（この例においては１６ミリ秒）は調整の精度には影響を与え得ない。このＵＥは、空間最小平均２乗誤差（ＭＭＳＥ）ＭＩＭＯ技術を利用しうる。結果として生じるスペクトル効率が６４ＱＡＭ情報レートとして計算されうる一方で、実施損失はチャネル容量に対して３ｄＢギャップまでモデル化されうる。オーバヘッドは、スペクトル効率計算においては考慮されない。
【００７５】
このベースライン結果は、干渉調整を伴わない従来の単一セル・スケジューリングに対応する。特に、全てのアクティブＨｅＮＢが、複数の層にわたる等価電力分布を伴うアイゲン・ビームフォーミングによって、全てのスケジューリング・インスタンスにおいてＵＥをスケジューリングする一方で、ランク選択は最大スペクトル効率に基づきうる。
【００７６】
干渉調整に直面すると、図６に例示されたタイムラインが実践されうる。ここにおいて、空間調整要求（ＳＦＩ）を発する決定に加えて、後続のスケジューリング決定が、サービス提供中の効用の概念に基づいて実行されうる。特定のＵＥにサービス提供することについての局所的な効用は、これまでこのＵＥにサービス提供されたデータの総量に対して予測される瞬間的なスペクトル効率の比率として、長期にわたる比例公平性（proportional fairness）に従って定義されうる。同様に、サービス提供中のＨｅＮＢによって複数のＵＥに同時にサービス提供することについての累積の効用は、それぞれの局所的な効用の合計として定義されうる。全調整処理が、下記に詳細にわたって説明される３つのステップで実行されうる。
【００７７】
第１のステップにおいて、全てのＨｅＮＢは、サービス提供されているＵＥの短期にわたるチャネルと長期にわたる干渉とに基づいて、空間調整を使用することを決定しうる。サービス提供中のＨｅＮＢは、ランク１伝送での低減された干渉に対応するＵＥにサービス提供することについての効用が、ランク２（ＭＩＭＯ）伝送の効用を超える場合はいつでも、優位性序列で、多数の干渉しているＨｅＮＢをターゲットとするＵＥに対してＳＦＩ−ＲＥＱを発しうる。１又は複数のＨｅＮＢをターゲットとするＳFＩ−ＲＥＱを受信したＵＥは、これらのＨｅＮＢにＳＦＩを送りうる。各ＳＦＩ要求は、発信（originating）ＨｅＮＢの下りリンク伝送のために暫定的なＰＭＩを搬送し、ＵＥからターゲットＨｅＮＢへ空間方向（例えば、ＣＤＩ）を搬送し、干渉しているビームのＵＥの局所的な効用への影響にアクセスするために要求される追加の情報を搬送しうる。このような情報の例は、ＵＥのターゲットＣ／Ｉの他に、ターゲット干渉レベルの値だろう。ＵＥ毎のＳＦＩの最大数は１と２と３であるとみなされうる。ＵＥは、長期にわたる下りリンク強度が、サービス提供中のＨｅＮＢから１０ｄＢ以内であるＨｅＮＢに、ＳＦＩを送るのみである。
【００７８】
調整処理の第２のステップにおいて、近隣のＵＥからＳＦＩを受け取ると、各ＨｅＮＢは、ＳＦＩにおいて搬送される局所的な効用と自己の局所的な効用との一対比較を実行しうる。ＨｅＮＢは、局所的な効用が自己のものを超える全てのＳＦＩを許可しうる。このような許可が意味することは２つあり得る。それは、ＨｅＮＢは、候補となる送信ビームを計算する場合に、許可された全てのＳＦＩに含まれるＣＤＩを計上する（account for）ということと、ＨｅＮＢが、サービス提供されているＵＥと、ＳＦＩが許可された近隣のユーザとを含む最大累積効用に基づいて、ビームを選択しうるということである。何れのＳＦＩをも受信しない、あるいは受信されたＳＦＩの何れをも許可しないＨｅＮＢは、アイゲン・ビームフォーミング（ＥＢＦ）を利用しうる。一方で、１又は複数のＳＦＩを受信するＨｅＮＢは、２つの追加的な送信オプションを考慮しうる。それは、協調サイレンシング（ＣＳ）および信号対リーク比（ＳＬＲ）ビームフォーミングである。
【００７９】
ＣＳは、干渉を受けているＵＥのための、サービス提供中のＨｅＮＢによる伝送の何れにも対応し得ない。ＳＬＲビームフォーミングの場合において、サービス提供されているＵＥの全ての（ＭＩＭＯ）ストリームについて、ビームが、信号強度の逆数によって重みを加えられたＣＤＩ情報に従い、干渉を受けているＵＥにおいて観測される干渉エネルギーの合計に対応するストリームのアイゲン方向に従って、受信されたエネルギーの比を最大化しようと試みるということが発見されうる。
【００８０】
上記で説明されたように、ＨｅＮＢは、許可されたＳＦＩを有する全ての近隣のＵＥにわたる最大累積効用に基づいて、ＥＢＦ伝送と、ＣＳ伝送と、ＳＬＲ伝送との中から選択しうる。これは、サービス提供されているＵＥを表す。各ＨｅＮＢは更に、ＲＱＩ−ＲＥＱおよびＲＱＩメッセージの数に対する制約に従ってＲＱＩをフィード・バックするために、調査の対象となるＵＥのセットを（ＲＱＩ−ＲＥＱによって）決定しうる。ＲＱＩのための調査の対象となるＵＥのセットは、ＨｅＮＢの選択された伝送スキームに従って、最大局所的な効用に基づいてＨｅＮＢに関連付けられた全てのＵＥの中から選択されうる。それに加えて、ＵＥのセットは、許可されたＳＦＩメッセージにおいてレポートされた暫定的なＰＭＩに基づいて予期された干渉と、ＳＦＩが受信されていない、あるいは許可されていない全てのＨｅＮＢからの長期にわたる干渉とに従って選択されうる。このシミュレーション設定においては、１つのＵＥのみが全てのノードに関連付けられうるので、ＲＱＩの数は１に設定されうる。最後に、各ＨｅＮＢは、選択された伝送ストラテジーに一致するＲＱＩ−ＲＳを送信し、ＲＱＩ−ＲＥＱを発しうる。
【００８１】
調整処理の第３のステップにおいて、ＵＥおよびＭＣＳの最後の選択は、調査対象となっている全てのＵＥについての正確なＣ／Ｉを反映するＲＱＩレポートに基づき、同様に、残りのＵＥのため通常のＣＱＩレポートにも基づきうる。このシミュレーションにおいて、ＨｅＮＢは、ＣＳが選択されない限りは、自己のＵＥのみをスケジューリングしうる。
【００８２】
図９においては、異なる数の支配的干渉体の除去を伴う長期にわたるＣ／Ｉ分布が描画されている。干渉調整がない（すなわち、全ての干渉体が存在する）場合、ＵＥのうちのおよそ１０％が、−７．５ｄＢ未満のＣ／Ｉを観測しうる。主要な支配的干渉体のみ（例えば、ＵＥ毎に１つのＳＦＩ）を取り除くことによって、５％テール（５% tail）がおよそ７．５ｄＢだけ改善されうるのと同時に、ＵＥ毎に３つまでのＳＦＩが、テール値における潜在的な改善の１７ｄB以上を譲歩できるようにする。従って、空間干渉調整は、ＨｅＮＢ展開のテール・スループットにおける実質的な改善の可能性を示唆する。
【００８３】
ＵＥ毎のＳＦＩの最大数に対する異なる制約を伴う空間調整およびベースライン（非協調）スケジューリングを用いたＵＥスループットの累積分布が、ＨｅＮＢにおける送信アンテナが２つの場合（図１０Ａ）と、４つの場合（図１０Ｂ）とについて、図１０に例示されている。ＵＥ毎に３つまでのＳＦＩを伴う空間調整は、スペクトル効率の高い領域における中程度の損失、すなわち、送信アンテナが２つの場合はおよそ２５％以内、送信アンテナが４つの場合はおよそ１２％以内の損失を犠牲にして、ベースラインにわたる１０％テール・スペクトル効率において１００％を超える利得を可能にしうる。
【００８４】
図１１は、２つの送信アンテナについて（図１１Ａ）、および、４つの送信アンテナについて（図１１Ｂ）、異なる送信ビームフォーミング・ストラテジの相対頻度を例示している。ベースラインはいつもアイゲン・ビームフォーミングを利用するが、協調伝送は、通常はＳＬＲビームフォーミングを、まれにＣＳを用いうるということが留意されるべきである。ＳＬＲおよびＣＳの発生の総数は、ＨｅＮＢが、近隣のセルにおけるＵＥから受信された１又は複数のＳＦＩを許可するインスタンスに対応しうる。更に、ＨｅＮＢ毎に４つの送信アンテナがある場合においては、近隣に対して送信干渉ヌリングを提供するだけでなく、サービス提供されているＵＥに対してＭＩＭＯ伝送を提供するのにも十分な自由（freedom）が利用可能であるので、ＣＳはほとんどまったく発生しない
図１２は、上述されたシミュレーションにおいて観測されたランク値の相対頻度を例示する。ＵＥ毎に可能性として１つより多くのＳＦＩを用いる空間調整は、ＳＦＩによって強いられる空間制約に主に起因して、ＵＥ毎に２つの送信アンテナの場合に、ランク値のわずかな減少を生じうるということが留意されるべきである。その一方で、空間調整は、送信アンテナの数が４に等しい場合にはランクの上昇を生じうる。これは、サービス提供されているＵＥに対するランク２伝送に伴い、近隣のＳＦＩに合わせて順応することをＨｅＮＢに許可する能力に起因するのと同様に、ＳＦＩを発するＵＥに対して、より頻繁に、より高いランク値を提供することにも起因しうる。
【００８５】
上述された方法の様々な動作が、対応する機能を実行することができる任意の適切な手段によって実行されうる。この手段は、回路、アプリケーション特有集積回路（ＡＳＩＣ）、あるいはプロセッサを含むが、それらには限定されない、様々なハードウェアおよび／あるいは１つ又は複数のソフトウェア構成要素および／あるいは１つ又は複数のモジュールを含みうる。一般に、図に示された動作が存在する場合、それらの動作は同様の符番を有する対応するカウンターパートのmeans-plus-function構成要素を有しうる。例えば、図７、８に例示された動作７００および８００は、図７Ａ、８Ａに例示された構成要素７００Ａ、８００Ａに対応する。
【００８６】
本明細書において使用されるように、用語「決定すること（determining）」は様々な動作を含んでいる。例えば、「決定すること」は、計算すること、コンピューティングすること、処理すること、導出すること、調査すること、調べる（例えば、表や、データ・ベースあるいはその他別のデータ構造を調べる）こと、確認することなどを含みうる。更に、「決定すること」は、受信すること（例えば、情報を受信すること）、アクセスすること（例えば、メモリ内のデータにアクセスすること）などを含みうる。更に、「決定すること」は、解決すること（resolving）、選び出すこと、選択すること、確立することなどを含みうる。
【００８７】
本明細書において使用されるように、アイテムのリストのうちの「少なくとも１つ」を称するフレーズは、それらの単一メンバを含む、それらのアイテムの任意の組み合わせを称する。例えば、「ａ、ｂ、ｃのうちの少なくとも１つ」は、ａ、ｂ、ｃ、ａ−ｂ、ａ−ｃ、ｂ−ｃ、ａ−ｂ−ｃをカバーするよう意図されている。
【００８８】
本開示に関連付けて説明された多様な実例的な論理ブロック、モジュール、および回路は汎用プロセッサ、デジタル信号プロセッサ（ＤＳＰ）、アプリケーション特定集積回路（ＡＳＩＣ）、フィールド・プログラマブル・ゲート・アレイ（ＦＰＧＡ）あるいは他のプログラマブル・ロジック・デバイス（ＰＬＤ）、ディスクリート・ゲートもしくはトランジスタ・ロジック、ディスクリート・ハードウェア構成要素、あるいは本明細書で説明された機能を実行するために設計されたそれらの任意の組み合わせによって実施あるいは実行されうる。汎用プロセッサはマイクロプロセッサでありうるが、別の方法としては、プロセッサは商用の任意のプロセッサ、コントローラ、マイクロコントローラ、あるいは順序回路でありうる。プロセッサは例えば、ＤＳＰおよびマイクロプロセッサの組み合わせ、複数のマイクロプロセッサ、ＤＳＰコアと連携した１つあるいは複数のマイクロプロセッサ、あるいはその他の任意の構成のようなコンピューティング・デバイスとしても実施されうる。
【００８９】
更に、本明細書に関連付けて説明された方法あるいはアルゴリズムのステップは、直接的にハードウェアにおいてか、プロセッサによって実行されるソフトウェア・モジュールにおいてか、あるいはこの２つの組み合わせにおいて実施されうる。ソフトウェア・モジュールは、当該技術分野において周知の任意の形態の記憶媒体に存在しうる。使用されうる記憶媒体のいくつかの実例は、ランダム・アクセス・メモリ（ＲＡＭ）、読取専用メモリ（ＲＯＭ）、フラッシュ・メモリ、ＥＰＲＯＭメモリ、ＥＥＰＲＯＭメモリ、レジスタ、ハード・ディスク、リムーバブル・ディスク、ＣＤ−ＲＯＭ等を含む。ソフトウェア・モジュールは、単一の命令あるいは多くの命令セットを備え、いくつかの異なるコード・セグメントに、異なるプログラムに、および複数の記憶媒体にわたって分布しうる。記憶媒体は、記憶媒体からの情報を読み取り、記憶媒体に情報を書き込むことができるプロセッサのようなプロセッサと結合されうる。別の方法としては、記憶媒体はプロセッサに統合される。
【００９０】
本明細書で開示された方法は、説明された方法を達成するための１又は複数のステップあるいは動作を備える。方法のステップおよび／あるいは動作は、特許請求の範囲のスコープから逸脱することなく、互いに置換されうる。言い換えると、ステップあるいは動作の特定の順序が規定されていない限り、特定のステップおよび／あるいは動作の順序および／あるいは使用は、特許請求の範囲のスコープから逸脱することなく変更されうる。
【００９１】
説明された機能は、ハードウェア、ソフトウェア、ファームウェア、あるいはそれら任意の組み合わせにおいて実施されうる。ソフトウェアにおいて実施される場合、機能は、１又は複数の命令セットとして、コンピュータ読取可能媒体に格納されうる。記憶媒体は、コンピュータによってアクセスされうる任意の利用可能な媒体である。限定ではなく例として、このようなコンピュータ読取可能媒体は、ＲＡＭや、ＲＯＭや、ＥＥＰＲＯＭや、ＣＤ−ＲＯＭもしくはその他の光学ディスク記憶装置や、磁気ディスク記憶装置もしくはその他の磁気記憶装置や、あるいは命令セットもしくはデータ構造の形態で希望のプログラム・コードを伝えるあるいは格納するために使用され、コンピュータによって処理されうる、その他任意の媒体を備えうる。本明細書で使用されるようなディスク（ｄｉｓｋ）及びディスク（ｄｉｓｃ）は、コンパクト・ディスク（ＣＤ）、レーザー・ディスク、光学ディスク、デジタル・バーサタイル・ディスク（ＤＶＤ）、フロッピー（登録商標）・ディスク及びブルーレイ（登録商標）・ディスクを含む。ここで、ディスク（ｄｉｓｋ）は通常データを磁気的に再生する一方、ディスク（ｄｉｓｃ）はレーザーを用いてデータを光学的に再生する。
【００９２】
このように、特定の態様は、本明細書において示される動作を実行するためのコンピュータ・プログラム製品を備えうる。例えば、このようなコンピュータ・プログラム製品は、格納（および／あるいは符号化）された命令セットを有するコンピュータ読み取り可能媒体を備えうる。この命令セットは、本明細書に説明される動作を実行するように、１又は複数のプロセッサによって実行可能である。特定の態様について、コンピュータ・プログラム製品はパッケージ・マテリアルを含みうる。
【００９３】
ソフトウェアあるいは命令セットは、送信媒体によっても送信されうる。例えば、同軸ケーブルや、光ファイバー・ケーブルや、ツイスト・ペアや、デジタル加入者回線（ＤＳＬ）や、あるいは、赤外線、無線、及びマイクロ波のような無線技術を使用して、ウェブサイト、サーバ、あるいはその他のリモート・ソースからソフトウェアが送信される場合、同軸ケーブルや、光ファイバー・ケーブルや、ツイスト・ペアや、ＤＳＬや、あるいは赤外線、無線、及びマイクロ波のような無線技術は、送信媒体の定義に含まれる。
【００９４】
更に、モジュールおよび／あるいは本明細書において説明される方法および技術を実行するためのその他適切な手段は、規定どおりにユーザ端末および／あるいは基地局によってダウンロードされるか、および／あるいは、そうでない場合は取得されうる。例えば、このようなデバイスは、本明細書で説明された方法を実行するための手段の転送を容易にするために、サーバに結合されうる。代替的に、ユーザ端末および／あるいは基地局が記憶手段をデバイスに結合させる際、あるいは記憶手段をデバイスに提供する際の様々な方法を得ることができるように、本明細書で説明された様々な方法は、（例えば、ＲＡＭ、ＲＯＭ、コンパクト・ディスク（ＣＤ）あるいはフロッピー（登録商標）・ディスク等のような）物理記憶媒体記憶手段によって提供されうる。更に、本明細書で説明された方法および技術をデバイスに提供するためのその他任意の適切な技術が利用されうる。
【００９５】
特許請求の範囲が、上記で例示された正確な構成および構成要素に限定されないということが理解されるべきである。様々な変形例、変更、およびバリエーションが、特許請求の範囲のスコープから逸脱することなく、配置、動作、および上記で説明された方法および装置の細部においてなされうる。
【００９６】
以上が本開示の態様に関するが、本開示のその他の態様、更なる態様が、基本的なスコープから逸脱することなく考案されうる。また、このスコープは以下の特許請求の範囲によって決定されている。
以下に、本願の出願当初請求項に記載された発明を付記する。
［Ｃ１］
無線通信のための方法であって、前記方法は下記を備える：
データ伝送のためのビーム方向についてのインジケーションを備える基準信号を送信すること；
ユーザ端末のセットに対して、前記ユーザ端末に関連付けられた１又は複数の通信リソースの品質についての、少なくとも１つのインジケーション・メッセージを送るよう求める要求を送信すること；
前記セットからの１又は複数のユーザ端末から、前記基準信号に少なくとも部分的に基づいて生成された１又は複数の前記インジケーション・メッセージを受信すること；および
前記受信されたインジケーション・メッセージに基づいて、前記セットからのユーザ端末のうちの少なくとも１つに対するデータ伝送をスケジューリングすること、なお、前記データは前記ビーム方向を使用して送信される。
［Ｃ２］
上記［Ｃ１］に記載の方法、ここにおいて、前記基準信号は更に、前記データ伝送のための電力を示す。
［Ｃ３］
上記［Ｃ１］に記載の方法、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
［Ｃ４］
下記を更に備える、上記［Ｃ１］に記載の方法：
前記受信されたインジケーションに基づいて、前記データ伝送のための変調符号化スキーム（ＭＣＳ）を選択すること；および
前記ＭＣＳおよび前記ビーム方向を使用して前記データを送信すること。
［Ｃ５］
無線通信のための装置であって、前記装置は下記を備える：
データ伝送のためのビーム方向についてのインジケーションを備える基準信号を送信するように構成された送信機、ここにおいて、
前記送信機は、ユーザ端末のセットに対して、前記ユーザ端末に関連付けられた１又は複数の通信リソースの品質についての、少なくとも１つのインジケーション・メッセージを送るよう求める要求を送信するように更に構成されている；
前記セットからの１又は複数のユーザ端末から、前記基準信号に少なくとも部分的に基づいて生成された１又は複数の前記インジケーション・メッセージを受信するように構成された受信機；および
前記受信されたインジケーション・メッセージに基づいて、前記セットからのユーザ端末のうちの少なくとも１つに対するデータ伝送をスケジューリングするように構成されたスケジューラ、なお、前記データは前記ビーム方向を使用して送信される。
［Ｃ６］
上記［Ｃ５］に記載の装置、ここにおいて、前記基準信号は更に、前記データ伝送のための電力を示す。
［Ｃ７］
上記［Ｃ５］に記載の装置、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
［Ｃ８］
更に下記を備える、上記［Ｃ５］に記載の装置：
前記受信されたインジケーションに基づいて、前記データ伝送のための変調符号化スキーム（ＭＣＳ）を選択するように構成された回路、ここにおいて、
前記送信機は、前記ＭＣＳおよび前記ビーム方向を使用して前記データを送信するように更に構成されている。
［Ｃ９］
無線通信のための装置であって、前記装置は更に以下を備える：
データ伝送のためのビーム方向についてのインジケーションを備える基準信号を送信する手段；
ユーザ端末のセットに対して、前記ユーザ端末に関連付けられた１又は複数の通信リソースの品質についての、少なくとも１つのインジケーション・メッセージを送るよう求める要求を送信する手段；
前記セットからの１又は複数のユーザ端末から、前記基準信号に少なくとも部分的に基づいて生成された１又は複数の前記インジケーション・メッセージを受信する手段；および
前記受信されたインジケーション・メッセージに基づいて、前記セットからのユーザ端末のうちの少なくとも１つに対するデータ伝送をスケジューリングする手段、なお、前記データは前記ビーム方向を使用して送信される。
［Ｃ１０］
下記を更に備える、上記［Ｃ９］に記載の装置：
前記受信されたインジケーションに基づいて、前記データ伝送のための変調符号化スキーム（ＭＣＳ）を選択する手段；および
前記ＭＣＳおよび前記ビーム方向を使用して前記データを送信する手段。
［Ｃ１１］
格納された命令セットを有するコンピュータ読み取り可能媒体を備える無線通信のためのコンピュータ・プログラム製品であって、前記命令セットは、１又は複数のプロセッサによって実行可能であり、さらに、下記を備える：
データ伝送のためのビーム方向についてのインジケーションを備える基準信号を送信するための命令セット；
ユーザ端末のセットに対して、前記ユーザ端末に関連付けられた１又は複数の通信リソースの品質についての、少なくとも１つのインジケーション・メッセージを送るよう求める要求を送信するための命令セット；
前記セットからの１又は複数のユーザ端末から、前記基準信号に少なくとも部分的に基づいて生成された１又は複数の前記インジケーション・メッセージを受信するための命令セット；および
前記受信されたインジケーション・メッセージに基づいて、前記セットからのユーザ端末のうちの少なくとも１つに対するデータ伝送をスケジューリングするための命令セット、なお、前記データは前記ビーム方向を使用して送信される。
［Ｃ１２］
更に下記を備える、上記［Ｃ１１］に記載のコンピュータ・プログラム製品：
前記受信されたインジケーションに基づいて、前記データ伝送のための変調符号化スキーム（ＭＣＳ）を選択するための命令セット；および
前記ＭＣＳおよび前記ビーム方向を使用して前記データを送信するための命令セット。
［Ｃ１３］
無線通信のための装置であって、前記装置は下記を備える：
下記を実行するよう構成された少なくとも１つのプロセッサ、
データ伝送のためのビーム方向についてのインジケーションを備える基準信号を送信すること、
ユーザ端末のセットに対して、前記ユーザ端末に関連付けられた１又は複数の通信リソースの品質についての、少なくとも１つのインジケーション・メッセージを送るよう求める要求を送信すること、
前記セットからの１又は複数のユーザ端末から、前記基準信号に少なくとも部分的に基づいて生成された１又は複数の前記インジケーション・メッセージを受信すること、さらに
前記受信されたインジケーション・メッセージに基づいて、前記セットからのユーザ端末のうちの少なくとも１つに対するデータ伝送をスケジューリングすること；および
前記少なくとも１つのプロセッサに結合されたメモリ。
［Ｃ１４］
上記［Ｃ１３］に記載の装置、ここにおいて、前記プロセッサは下記を実行するよう更に構成されている：、
前記受信されたインジケーションに基づいて、前記データ伝送のための変調符号化スキーム（ＭＣＳ）を選択すること；および
前記ＭＣＳおよび前記ビーム方向を使用して前記データを送信すること。
［Ｃ１５］
無線通信のための方法であって、前記方法は下記を備える：
ユーザ端末においてサービス提供中の・セルから、データ伝送のために使用されるサービス提供中の・セルのビーム方向についてのインジケーションを備える基準信号を受信すること；
前記基準信号に示された、前記ユーザ端末によって観測されているチャネルの品質を測定すること；
前記サービス提供中の・セルから、前記測定されたチャネル品質についてのインジケーションを送信するよう求める要求を受信すること；および
前記要求に応じて、前記サービス提供中の・セルに前記インジケーションを送信すること。
［Ｃ１６］
上記［Ｃ１５］に記載の方法、ここにおいて、前記基準信号は更に、前記サービス提供中の・セルによって決定された送信電力を示す。
［Ｃ１７］
上記［Ｃ１５］に記載の方法、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
［Ｃ１８］
更に下記を備える、上記［Ｃ１５］に記載の方法：
前記測定されたチャネル品質を、前記サービス提供中の・セルに送信すること。
［Ｃ１９］
無線通信のための装置であって、前記装置は下記を備える：
サービス提供中の・セルから、データ伝送のために使用されるサービス提供中の・セルのビーム方向についてのインジケーションを備える基準信号を受信するように構成された受信機；
前記基準信号に示された、前記装置によって観測されているチャネルの品質を測定するように構成された回路、ここにおいて、
前記受信機は更に、前記サービス提供中の・セルから、前記測定されたチャネル品質についてのインジケーションを送信するよう求める要求を受信するように構成されている；および
前記要求に応じて、前記サービス提供中の・セルに前記インジケーションを送信するように構成された送信機。
［Ｃ２０］
上記［Ｃ１９］に記載の装置、ここにおいて、前記基準信号は更に、前記サービス提供中の・セルによって決定された送信電力を示す。
［Ｃ２１］
上記［Ｃ１９］に記載の装置、ここにおいて：
前記基準信号は、伝送サブフレーム毎におけるリソース・ユニットに関連付けられたリソース要素を備え、
前記基準信号は、前記リソース・ユニットに対応する干渉エネルギーおよび信号を測定するために使用される。
［Ｃ２２］
上記［Ｃ１９］に記載の装置、ここにおいて、
前記送信機は更に、前記測定されたチャネル品質を、前記サービス提供中の・セルに送信するように構成されている。
［Ｃ２３］
無線通信のための装置であって、前記装置は下記を備える：
サービス提供中の・セルから、データ伝送のために使用されるサービス提供中の・セルのビーム方向についてのインジケーションを備える基準信号を受信する手段；
前記基準信号に示されたチャネル品質を測定する手段、なお、前記チャネルは、前記装置によって観測されている；
前記サービス提供中の・セルから、前記測定されたチャネル品質についてのインジケーションを送信するよう求める要求を受信する手段；および
前記要求に応じて、前記サービス提供中の・セルに前記インジケーションを送信する手段。
［Ｃ２４］
更に下記を備える、上記［Ｃ２３］に記載の装置：
前記測定されたチャネル品質を、前記サービス提供中の・セルに送信する手段。
［Ｃ２５］
格納された命令セットを有するコンピュータ可読媒体を備える無線通信のためのコンピュータ・プログラム製品であって、前記命令セットは、１又は複数のプロセッサによって実行可能であり、さらに、下記を備える：
ユーザ端末においてサービス提供中の・セルから、データ伝送のために使用されるサービス提供中の・セルのビーム方向についてのインジケーションを備える基準信号を受信するための命令セット；
前記基準信号に示されたチャネル品質を測定するための命令セット、なお、前記チャネルは前記ユーザ端末によって観測されている；
前記サービス提供中の・セルから、前記測定されたチャネル品質についてのインジケーションを送信するよう求める要求を受信するための命令セット；および
前記要求に応じて、前記サービス提供中の・セルに前記インジケーションを送信するための命令セット。
［Ｃ２６］
上記［Ｃ２５］に記載のコンピュータ・プログラム製品、ここにおいて、前記命令セットは更に下記を備える：
前記測定されたチャネル品質を、前記サービス提供中の・セルに送信するための命令セット。
［Ｃ２７］
無線通信のための装置であって、前記装置は下記を備える：
下記を実行するよう構成された少なくとも１つのプロセッサ、
サービス提供中の・セルから、データ伝送のために使用されるサービス提供中の・セルのビーム方向についてのインジケーションを備える基準信号を受信すること、
前記基準信号に示された、前記装置によって観測されているチャネルの品質を測定すること、
前記サービス提供中の・セルから、前記測定されたチャネル品質についてのインジケーションを送信するよう求める要求を受信すること、さらに
前記要求に応じて、前記サービス提供中の・セルに前記インジケーションを送信すること；および
前記少なくとも１つのプロセッサに結合されたメモリ。
［Ｃ２８］
上記［Ｃ２７］に記載の装置、ここにおいて、前記プロセッサは更に、前記測定されたチャネル品質を、前記サービス提供中の・セルに送信するように構成されている。
【図１】
0005607076.tif 000002
【図２】
0005607076.tif 000003
【図３】
0005607076.tif 000004
【図４】
0005607076.tif 000005
【図５】
0005607076.tif 000006
【図６】
0005607076.tif 000007
【図７】
0005607076.tif 000008
【図７Ａ】
0005607076.tif 000009
【図８】
0005607076.tif 000010
【図８Ａ】
0005607076.tif 000011
【図９】
0005607076.tif 000012
【図１０Ａ】
0005607076.tif 000013
【図１０Ｂ】
0005607076.tif 000014
【図１１Ａ】
0005607076.tif 000015
【図１１Ｂ】
0005607076.tif 000016
【図１２Ａ】
0005607076.tif 000017
【図１２Ｂ】
0005607076.tif 000018